(57)【要約】      （修正有）【課題】表示装置などの電子機器のリモコン受光部本体を電子機器の背面に設け、手動で引出し可能としたリモコン受光装置を提供する。【解決手段】リモコン受光部３ａ、３ｂ、リモコン受光部に内蔵されたＬＥＤ受光部及び電源スイッチ等の入力デバイスを含むリモコン受光部本体３並びにリモコン受光部本体３を収納するリモコン受光部本体収納部を表示装置１の背面に配置させ、表示装置１の前方より受光部３ａ、３ｂの位置を視認可能な状態にするとともに、リモコン２からの赤外線光を下方より受光可能とする。リモコン受光部本体３がリモコン受光部本体収納部より引き出され、LＥＤ受光部及び電源スイッチ等の入力デバイスが表示装置正面より視認可能な状態になると、リモコン２からの赤外線光を前方より受光可能とすると共に、露出された電源スイッチにより、表示装置電源のオンオフ切り換えが制御可能となる。【選択図】図１
2019126045.tif 000002
【特許請求の範囲】
【請求項１】
電子機器に設けられるリモコン受光装置であって、
リモコンからの光を受光する受光部本体と、
前記電子機器の表面に対する裏側の下方端部に配置され、
前記受光部本体をスライド移動可能にするスライド機構と、を備え、
前記スライド機構は、前記電子機器の正面から見て、前記受光部本体の全部又は一部が露出するように動作することを特徴とするリモコン受光装置。
【請求項２】
前記受光部本体はリモコン受光部を備え、前記リモコン受光部は、受光素子を内蔵しており、前記受光部本体の端部の複数面に亘る部材で形成されていることを特徴とする請求項１に記載のリモコン受光装置。
【請求項３】
前記リモコン受光装置は、前記受光部本体をスライド可能に内装する受光部本体収納部を備えることを特徴とする請求項１または２に記載のリモコン受光装置。
【請求項４】
前記受光部本体収納部は、前記受光部本体が収納された状態で、前記受光部本体の一部を露出し、スライド方向から受光可能に前記受光部本体を保持されることを特徴とする請求項３に記載のリモコン受光装置。
【請求項５】
前記受光部本体収納部は、前記受光部本体が引き出された状態で、前記電子機器の正面から受光可能に前記受光部本体を保持されることを特徴とする請求項３または４に記載のリモコン受光装置。
【請求項６】
請求項１から請求項５までのいずれか一つに記載のリモコン受光装置を備えた表示装置。
【発明の詳細な説明】
【技術分野】
【０００１】
本発明は、液晶ディスプレイやプラズマディスプレイ等の表示装置内部に取り付けられたリモコン受光装置に関する。
【背景技術】
【０００２】
従来技術として、リモコン受光部が表示装置本体に設けられたもの、及び、リモコン受光部が可動可能なものとして、図７、及び、特許文献１を参照して説明を行う。
【０００３】
図７は、従来の表示装置１０１において、リモコンにより遠隔操作を行なう例を示した図である。この図において、表示装置１０１に向けてリモコン１０２より発光される赤外線光が表示装置１０１のリモコン受光部１０３で受光されると、表示装置１０１は、リモコン１０２で操作されたキーに対応した動作、例えば、電源のＯＮ／ＯＦＦや音量調整、輝度調整等を行なう。なお、リモコン受光部１０３の受光回路（図示せず）は、ベゼルに埋め込まれている。
【０００４】
また、特許文献１は、電子機器のリモコン受光装置の受光部が、電子機器外枠表面から突出させた状態と、電子機器の外枠表面下に収納保持させた状態とを備えた電子機器が開示されており、リモコン受光装置の受光部は電子機器外枠の表面下に収納保持可能となり、外枠表面からの突起を必要に応じてなくすことができ、リモコン受光装置本体が電子機器本体より突出している際の破損の危険性を小さくすることができる。
【先行技術文献】
【特許文献】
【０００５】
【特許文献１】実開平４−１０５７８３号公報
【発明の概要】
【発明が解決しようとする課題】
【０００６】
図７の表示装置の場合、表示装置そのもののベゼルもある程度面積を持たせたものが多く、表示装置の前面キャビネットのベゼルにはリモコン受光部とその回路を収納させるための空間的余裕があった。しかしながら、近年、表示装置のベゼルは狭額縁タイプが主流となる中、リモコン受光部を従来のように設けることは物理的に困難となってきている。
【０００７】
また、特許文献１に示されるリモコン受光部の場合、リモコン受光部は可動式ではあるものの、リモコン受光を行うときは本体から突出させ、リモコン受光を必要としないときは本体に収納するものであった。
【０００８】
本発明は、上記の課題に鑑みてなされたものであり、リモコン受光部を表示装置背面に取り付け、かつ、リモコン受光部の一部を露出させることで、リモコン受光部の収納時も引き出し時も受光可能となるように可動式とした、表示装置に使用可能なリモコン受光装置を提供することを目的とする。
【課題を解決するための手段】
【０００９】
本発明は、電子機器に設けられるリモコン受光装置において、リモコン受光部と、前記リモコン受光部および操作部を設けた受光部本体と、前記電子機器本体の背面に固設され、前記受光部本体をスライド可能に内装する受光部本体収納部とを備え、前記受光部本体は、前記受光部収納部に収納された状態で、前記受光部収納部から一部が露出して受光可能に保持されることを特徴とするリモコン受光装置である。
【００１０】
また、本発明のリモコン受光装置は、前記受光部収納部は、前記受光部本体の前記操作部が露出するよう凹部が形成されていることを特徴とする。
【００１１】
また、本発明のリモコン受光装置は、前記リモコン受光部は、受光素子を内蔵しており、前記受光部本体の端部の複数面に亘る部材で形成されていることを特徴とする。
【００１２】
また、本発明のリモコン受光装置は、前記受光部収納部は、前記受光部が収納された状態で、前記受光部の一部を露出し、スライド方向から受光可能に前記受光部本体を保持されることを特徴とする。
【００１３】
また、本発明のリモコン受光装置は、前記受光部収納部は、前記受光部が引き出された状態で、前記電子機器の正面から受光可能に前記受光部本体を保持されることを特徴とする。
【発明の効果】
【００１４】
本発明によれば、薄型、狭額縁の表示装置であっても、リモコン受光部本体を表示装置の背面キャビネット内に収納することができ、リモコンを使用した遠隔操作を容易にかつ確実に行なうことができる。
【図面の簡単な説明】
【００１５】
【図１】本発明の一実施形態の表示装置を示す模式図である。
【図２】本発明の表示装置背面の平面図を示したものである。
【図３ａ】リモコン受光部本体がリモコン受光部本体収納部に収納された状態を示す模式図である。
【図３ｂ】リモコン受光部本体がリモコン受光部本体収納部から引き出された状態を示す模式図である。
【図４ａ】リモコン受光部本体がリモコン受光部本体収納部に収納された状態を示す模式図である。
【図４ｂ】リモコン受光部本体がリモコン受光部本体収納部から引き出された状態を示す模式図である。
【図４ｃ】リモコン受光部本体がリモコン受光部本体収納部に収納された状態で下方から過負荷を掛けられた状態を示す模式図である。
【図５】リモコン受光部本体がリモコン受光部本体収納部に収納された状態を示す斜視図である。
【図６ａ】リモコン受光部本体を示す斜視図である。
【図６ｂ】リモコン受光部本体収納部を示す斜視図である。
【図７】従来の表示装置を示す模式図である。
【発明を実施するための形態】
【００１６】
以下、本発明の実施形態を、図面を用いて説明する。図面や以下の記述中で示す内容は例示であって、本発明の範囲は，図面や以下の記述中で示すものに限定されない。なお、本発明の図面において、同一の参照符号は、同一部分または相当部分を表わすものとする。
【００１７】
図１は、本発明の一実施形態である電子機器としての表示装置を示す模式図であり、図２は、図1の表示装置背面の平面図を示したものである。また、図３ａ、図３ｂは図２に
おけるセクションＢの拡大斜視図であり、図３ａはリモコン受光部本体がリモコン受光部本体収納部に収納された状態、図３ｂはリモコン受光部本体がリモコン受光部本体収納部から引き出された状態を示した図である。また、図４ａ、図４ｂ、図４ｃはリモコン受光部本体及びリモコン受光部本体収納部の平面図であり、図４ａは図３ａの状態に、図４ｂは図３ｂの状態にそれぞれ対応するものであり、図４ｃは下方から過負荷が掛けられた時のリモコン受光部本体及びリモコン受光部本体収納部の平面図である。また、図５は図４ａの斜視図であり、図６ａ、図６ｂはリモコン受光部本体、及びリモコン受光部本体収納部それぞれの斜視図を示したものである。以下、本発明の一実施形態について、図面を用いて詳細に説明する。
【００１８】
図１は、本発明の表示装置１のリモコン２による遠隔操作を示したものであり、表示装置１に向けてリモコン２より発光される赤外線光がリモコン受光部本体３のリモコン受光部３ａ、３ｂで受光されると、表示装置１は、リモコン２で操作されたキーに対応した動作、例えば、電源のＯＮ／ＯＦＦや音量調整、輝度調整等を行なうことができる。
【００１９】
なお、図１において、リモコン受光部本体３は、表示装置１の正面から見た状態で一部が露出した状態を示しており、この図において３ａ、及び、３ｂは、リモコン受光部を示している。
【００２０】
図２は、本発明の表示装置１の背面の平面図を示したものである。表示装置１の背面は、背面キャビネット１２でカバーされており、背面キャビネット１２は、表示装置１の内部の図示しない各種電子部品の搭載されたプリント基板、電源ユニット等の電気回路を保護すると共に、表示装置１の内部で発生する熱を図示しないファンによって外部に排出するために、多数の排熱孔１３ａ1〜１３ａｎを備えている。また、本発明の表示装置を容易に運搬・設置できるよう、背面キャビネット１２には凹部を設けることで、持ち手を形成するようにしている。
【００２１】
なお、本実施形態では、後述するリモコン受光部本体、及び、リモコン受光部本体収納部は、図２のＡの位置に固設され、リモコン２からの赤外線光を受光するようにしているが、リモコン受光部本体、及び、リモコン受光部本体収納部は、表示装置の背面部に取り付けられ、かつ、リモコン受光部本体がリモコン受光部本体収納部より引き出し可能な位置であれば、表示装置1の内部の各種電子部品の搭載されたプリント基板や電源ユニット等の電気回路の配置に応じて、適宜他の位置に配置させてもよい。
【００２２】
図３ａは、図２の位置Ａにリモコン受光部本体３が固設された状態のセクションＢの拡大斜視図であり、リモコン受光部本体３がリモコン受光部本体収納部４に一部を露出させて収納された状態を示している。また、図３ｂは、図３ａの状態から利用者がリモコン受光部本体３上にある凹部３０に指を引っ掛けて、リモコン受光部本体収納部４からリモコン受光部本体３を引き出して大きく露出させた状態を示している。
【００２３】
なお、後述するが、リモコン受光部本体３が図３ａのようにリモコン受光部本体収納部４に収納された状態であっても、図３ｂのようにリモコン受光部本体収納部４から引き出した状態であっても、リモコン２からの赤外線光を受光出来るような構造としている。
【００２４】
図４ａ、及び、図４ｂは、リモコン受光部本体３、及び、リモコン受光部本体収納部４の平面図であり、図４ａは、リモコン受光部本体３がリモコン受光部本体収納部４に収納された状態、図４ｂは、リモコン受光部本体３がリモコン受光部本体収納部４から引き出された状態を示している。なお、図４ｂで図４ａと共通する符号については、説明を省略する。
【００２５】
図４ａにおいて、リモコン受光部本体３は、リモコン受光部本体収納部４に一体成形された勘合爪４１によってリモコン受光部本体収納部４に嵌め込まれ、リモコン受光部本体３上の凹部３１に指を引っ掛けて表示装置１の下方へ引き出される時には、リモコン受光部本体３に一体成形されたガイド３２に沿ってスライド移動する構造となっている。
【００２６】
なお、リモコン受光部本体３の位置決め部材３３が、リモコン受光部本体収納部４の位置決め部４３−１あるいは４３−２の何れかにの位置にある状態がリモコン受光部本体３のスライド後の停止位置であり、リモコン受光部本体３の位置決め部材３３がリモコン受光部本体収納部４の位置決め部４３−１の位置（図４ａの状態）にあれば、リモコン受光部本体３がリモコン受光部本体収納部４に一部が露出され、また、位置決め部４３−２の位置（図４ｂの状態）にあれば、リモコン受光部本体３がリモコン受光部本体収納部４から引き出され、大きく露出した状態を示している。
【００２７】
また、リモコン受光部本体３は、図４ａの状態（位置決め部材３３が位置決め部４３−１の位置）でリモコン受光部本体３に下方より過負荷が加わった場合、つまり、例えばリモコン受光部本体３がリモコン受光部本体収納部４から一部が露出されている状態で、リモコン受光部本体３へ過度の負荷を掛けた場合であっても、跳ね返り部材３４が奥部移動領域である窪みＤの下方に撓んだ状態（図４ｃの跳ね返り部材３４の状態）となることで、その負荷を吸収するとともに、負荷が無くなった場合には、図４ａの状態に戻すように作用する構造となっている。
【００２８】
更に、リモコン受光部本体３は、図４ｂの状態（位置決め部材３３が位置決め部４３−２の位置）からリモコン受光部本体３が必要以上引き出されることがないよう、ガイド底辺３２Ａがリモコン受光部本体収納部４に一体成形されたストッパ４２と当接する事でリモコン受光部本体３がその位置よりも引き出されることを抑止する構造となっている。
【００２９】
また、リモコン受光部本体３のリモコン受光部３ａ、及び、３ｂは、透明部材で形成されており、ＬＥＤ受光部３ｃ、及び、３ｄが内蔵され、リモコン受光部本体３には、表示装置１の電源をオンオフするための本体スイッチ３５が設けられている。本実施例においては、スイッチ３５を１つだけ設けているが、別途複数のスイッチを設けることで、表示装置の設定等を行うようにすることもできる。
【００３０】
図５は、図４ａの斜視図であり、図６ａ、及び、図６ｂは、リモコン受光部本体３、及び、リモコン受光部本体収納部４のそれぞれの斜視図を示したものである。なお、図４ｂで図４ａと共通する符号については、説明を省略する。
【００３１】
図５、及び、図６ａにおいて前述のリモコン受光部３ａ、及び、３ｂは、Ｌ字型の形状となっており、リモコン受光部本体３がリモコン受光部本体収納部４から一部しか露出していない状態であっても、表示装置１の前方より受光部３ａ、３ｂの位置を視認できるとともに、リモコン２からの赤外線光を下方より受光出来るようになっている。
【００３２】
また、リモコン受光部本体３が引き出され、大きく露出された状態にあっては、ＬＥＤ受光部３ｃ、及び、３ｄが正面から視認可能なように露出状態となり、リモコン２の赤外線光を正面から受光出来るようになっている。さらにこの状態において、スイッチ３５も露出されることで、リモコンを一時的紛失した場合や、リモコンの電池切れを起こした場合等、応急的に表示装置電源のオンオフ切り換えが制御可能となる。
【００３３】
なお、本実施例においては、リモコン受光装置が表示装置に設けられた場合を説明したが、リモコン受光部を装置の前面に配置できない電子機器にも本案のリモコン受光装置を利用することが可能という汎用性も有している。
【符号の説明】
【００３４】
１：表示装置
２：リモコン
３：リモコン受光部本体
３ａ：リモコン受光部
３ｂ：リモコン受光部
４：リモコン受光部本体収納部
１２：背面キャビネット
１３ａ1〜１３ａn：排熱孔
３０：凹部
３１：凹部
３２：ガイド
３２Ａ：ガイド底部
３３：位置決め部材
３４：跳ね返り部材
３５：電源スイッチ
４１：勘合爪
４２：ストッパ
４３−１：位置決め部
４３−２：位置決め部
１０１：表示装置
１０２：リモコン
１０３：リモコン受光部
Ｄ：奥部移動領域である窪み  
【図１】
2019126045.tif 000003
【図２】
2019126045.tif 000004
【図３ａ】
2019126045.tif 000005
【図３ｂ】
2019126045.tif 000006
【図４ａ】
2019126045.tif 000007
【図４ｂ】
2019126045.tif 000008
【図４ｃ】
2019126045.tif 000009
【図５】
2019126045.tif 000010
【図６ａ】
2019126045.tif 000011
【図６ｂ】
2019126045.tif 000012
【図７】
2019126045.tif 000013